(57)【要約】      （修正有）【課題】  部品点数を削減した簡単な構造によって、停滞水が給水管に逆流するのを確実に防止できる水道連結用スプリンクラーヘッド接続用の継手を提供する。【解決手段】継手１は、上水道本管から分岐された給水管５と、給水管５の途中に設置したＴ型継手２と、Ｔ型継手２とスプリンクラーヘッド８の入口８ａとを接続する継手ユニット３とを備える。継手ユニット３の上流側の端部３０に、スプリンクラーヘッド８閉塞時の１次圧Ｐ１と２次圧Ｐ２との平衡状態で付勢部材の付勢により閉止されて継手ユニット３およびスプリンクラーヘッド８内の停滞水が給水管５へ逆流を防止するとともに、スプリンクラーヘッド８開放時の２次圧Ｐ２の低下によって生じる１次圧Ｐ１と２次圧Ｐ２との差圧（Ｐ１＞Ｐ２）で付勢部材の付勢に抗して開放されてスプリンクラーヘッド８の放水を許容する逆流防止手段１２を備えている。【選択図】図２
0003156763.tif 000002
【実用新案登録請求の範囲】
【請求項１】
上水道本管から分岐されて端末に取付けられた給水栓の開閉により水道水を流動または停止させる給水管が両端部に接続される第１通路および該第１通路から分岐された第２通路を備えるＴ型継手と、上流側の端部が前記Ｔ型継手の第２通路に接続され、下流側の端部がスプリンクラーヘッドの入口に接続される継手ユニットとからなり、前記給水管と前記スプリンクラーヘッドとを接続する水道連結用スプリンクラーヘッド接続用の継手において、
前記Ｔ型継手の第２通路と前記継手ユニットの上流側の端部のいずれかに、スプリンクラーヘッド閉塞時の１次圧と２次圧との平衡状態で付勢部材の付勢により閉止されて、継手ユニットおよびスプリンクラーヘッド内の停滞水が前記給水管へ逆流を防止するとともに、
スプリンクラーヘッド開放時の２次圧の低下によって生じる１次圧と２次圧との差圧で前記付勢部材の付勢に抗して開放されてスプリンクラーヘッドの放水を許容する逆流防止手段を備えていることを特徴とする水道連結用スプリンクラーヘッド接続用の継手。
【請求項２】
前記継手ユニットは、前記Ｔ型継手の第２通路に接続される管状の第１継手と、スプリンクラーヘッドの入口に接続される管状の第２継手と、前記第１継手に上流側の端部が接続され前記第２継手に下流側の端部が接続される可撓管とを備えてなる請求項１に記載の水道連結用スプリンクラーヘッド接続用の継手。
【請求項３】
前記逆流防止手段は、前記第２通路と前記第１継手のいずれかの内周に設けた弁座と、スプリンクラーヘッド閉塞時の１次圧と２次圧の平衡状態でスプリングの付勢により前記弁座に着座するとともに、スプリンクラーヘッド開放時の２次圧の低下によって生じる１次圧と２次圧との差圧で前記スプリングの付勢に抗して開放されてスプリンクラーヘッドの放水を許容する弁体とを備えた逆止弁からなる請求項１または請求項２に記載の水道連結用スプリンクラーヘッド接続用の継手。
【請求項４】
前記Ｔ型継手の第２通路の軸線は、横に向けて前記継手ユニットの上流側の端部に接続されてなる請求項１または請求項２に記載の水道連結用スプリンクラーヘッド接続用の継手。
【考案の詳細な説明】
【技術分野】
【０００１】
本考案は、水道連結用スプリンクラーヘッド接続用の継手に係り、詳しくは、上水道本管から分岐されている一般住宅の給水管を利用した水道連結用スプリンクラー設備において、前記給水管とスプリンクラーヘッドとを接続する継手およびスプリンクラーヘッド内の停滞水が給水管に逆流するのを防止するようにした水道連結用スプリンクラーヘッド接続用の継手に関する。
【背景技術】
【０００２】
水道連結用スプリンクラー設備は、上水道本管から分岐されて末端に取付けられた蛇口や水洗トイレのタンクに付設のボールタップなどの給水栓の開閉により水道水を流動または停止させる給水管と、この給水管の途中で該給水管とスプリンクラーヘッドとを接続する立ち下げ管を含む継手とを備えている。
【０００３】
前記構成の水道連結用スプリンクラー設備では、火災発生時にスプリンクラーヘッドから自動的に放水して火災の抑制・消火を行い、初期消火に優れた効果を発揮することができる。また、平常時は、給水管の末端に取付けられている給水栓を開放することで、給水管内の水道水は給水栓から放水されて、飲用や炊飯、洗濯やバスタブあるいはトイレの水洗などに供給される。
【０００４】
ところで、平常時では、前記立ち下げ管を含む継手内およびスプリンクラーヘッド内の水道水は循環しないので、立ち下げ管を含む継手内およびスプリンクラーヘッド内に汚濁した水、つまり停滞水が発生する。このような停滞水が給水管に逆流するのは衛生上好ましくないので絶対に避けるべきである。そのため、停滞水の発生を防止するように構成した水道連結用のスプリンクラーヘッドが提案されている（特許文献１参照）。
【先行技術文献】
【特許文献】
【０００５】
【特許文献１】特開２００７−２９３２１号公報
【考案の概要】
【考案が解決しようとする課題】
【０００６】
前記特許文献１に記載されている技術を図５に示す、この図において、水道連結用のスプリンクラーヘッド１００は、平常時、スプリンクラーヘッド１００におけるヘッド本体１０１の導水口１０２を第２バルブ１０３で塞いでヘッド本体１０１内での死水（停滞水）の発生を防ぎ、火災発生時、第２バルブ１０３は感熱分解部分１０４の分解により降下して放水口１０５を開放する第１バルブ１０６の作動に伴って導水口１０２から降下して導水口１０２を開放するように構成されている。
【０００７】
このように構成されている前記特許文献１に記載の技術によれば、Ｔ型継手１０７の分岐口１０８に接続されるヘッド本体１０１の導水口１０２が第２バルブ１０３で塞がれるので、水がヘッド本体１０１内に流入することがなく、スプリンクラーヘッド１００内での死水（停滞水）の発生を防止することができる。また、火災発生時には、第２バルブ１０３は感熱分解部分１０４の分解により降下して放水口１０５を開放する第１バルブ１０６の作動に伴って導水口１０２から降下して導水口１０２を開放するので、放水による消火に支障を来すものではないとされている。
【０００８】
しかし、前記特許文献１に記載の技術は、前記第２バルブ１０３の他に、第２バルブ１０３と第１バルブ１０６の間に介在して第２バルブ１０３を支持するボール１０９あるいは通水口１１０を有する第２バルブ１０３の弁座体１１１などを必要としているので、部品点数が多く、構造が複雑である問題点を有している。
【０００９】
本考案は、このような問題を解決するものであって、その目的とするところは、部品点数を削減した簡単な構造によって、停滞水が給水管に逆流するのを確実に防止できる水道連結用スプリンクラーヘッド接続用の継手を提供することにある。
【課題を解決するための手段】
【００１０】
前記目的を達成するために、本考案に係る水道連結用スプリンクラーヘッド接続用の継手は、上水道本管から分岐されて端末に取付けられた給水栓の開閉により水道水を流動または停止させる給水管が両端部に接続される第１通路および該第１通路から分岐された第２通路を備えるＴ型継手と、上流側の端部が前記Ｔ型継手の第２通路に接続され、下流側の端部がスプリンクラーヘッドの入口に接続される継手ユニットとからなり、前記給水管と前記スプリンクラーヘッドとを接続する水道連結用スプリンクラーヘッド接続用の継手において、
前記Ｔ型継手の第２通路と前記継手ユニットの上流側の端部のいずれかに、スプリンクラーヘッド閉塞時の１次圧と２次圧との平衡状態で付勢部材の付勢により閉止されて、継手ユニットおよびスプリンクラーヘッド内の停滞水が前記給水管へ逆流を防止するとともに、
スプリンクラーヘッド開放時の２次圧の低下によって生じる１次圧と２次圧との差圧で前記付勢部材の付勢に抗して開放されてスプリンクラーヘッドの放水を許容する逆流防止手段を備えていることを特徴としている。
【００１１】
これによれば、水道連結用スプリンクラーヘッド接続用の継手の取付け作業は、まず、上水道本管に近い給水管の上流側に設けた止水栓を閉じた止水状態で、給水管にＴ型継手を接続し、つぎに、継手ユニットの上流側の端部をＴ型継手の第２通路に接続したのち、該継手ユニットの下流側の端部を天井に既設のスプリンクラーヘッドの入口に接続する手順によりなされる。このように水道連結用スプリンクラーヘッド接続用の継手を取付けた状態で、給水管末端の給水栓を開放すれば、給水管、Ｔ型継手、継手ユニットおよびスプリンクラーヘッドの内圧は大気圧に保持される。ここで、前記止水栓を開いて給水管に通水し、給水管末端の給水栓からの放水を確認して給水栓を閉じる。
【００１２】
一方、上水道本管の水道水が給水管に通水されることで、水道水の水圧がＴ型継手の第２通路と継手ユニットの上流側の端部のいずれかに備わっている逆流防止手段に１次圧として負荷される。１次圧が逆流防止手段に負荷された初期の状態では、逆流防止手段に負荷される２次圧は大気圧で前記１次圧よりも低いので、逆流防止手段は、１次圧と２次圧との差圧で付勢部材の付勢に抗して開放される。これにより、逆流防止手段の下流側の継手ユニットおよびスプリンクラーヘッド内の空気は水道水に置換され、置換された水道水の水圧が逆流防止手段に２次圧として負荷されることで１次圧と２次圧とが平衡し、前記付勢部材の付勢により逆流防止手段は閉止される。この場合、逆流防止手段の下流側の継手ユニットおよびスプリンクラーヘッド内に停滞水が発生するものの、この停滞水の給水管への逆流は逆流防止手段の閉止によって確実に防止される。
【００１３】
すなわち、平常時において、給水管の末端に取付けられている給水栓を開放することで、給水管内の水道水は給水栓から放水されて、飲用や炊飯、洗濯やバスタブあるいはトイレの水洗などに供給される。このような状態下でも前記１次圧と２次圧の平衡状態が保持されて逆流防止手段は閉止されているので、前記停滞水が給水管へ逆流することはない。
【００１４】
他方、火災発生時には、スプリンクラーヘッドから、まず前記停滞水が自動的に放水される。これにより、前記２次圧が低下するので、逆流防止手段は１次圧と２次圧との差圧で付勢部材の付勢に抗して開放されてスプリンクラーヘッドの放水を許容する。
【００１５】
すなわち、本考案に係る水道連結用スプリンクラーヘッド接続用の継手は、Ｔ型継手と、このＴ型継手とスプリンクラーヘッドとを接続する継手ユニットとからなり、給水管とスプリンクラーヘッドとを接続するとともに、停滞水が給水管へ逆流するのを確実に防止することができるものでありながら、Ｔ型継手の第２通路と継手ユニットの上流側の端部のいずれかに逆流防止手段を備えただけのものであるから、部品点数の削減と構造の簡略化を実現できる。
【００１６】
また、前記継手ユニットは、前記Ｔ型継手の第２通路に接続される管状の第１継手と、スプリンクラーヘッドの入口に接続される管状の第２継手と、前記第１継手に上流側の端部が接続され前記第２継手に下流側の端部が接続される可撓管とを備えている。
【００１７】
これによると、可撓管の撓み作用によって管状の第２継手に大きい変位自由度が確保されるので、通常は、Ｔ型継手の第２通路に管状の第１継手を接続した後になされる天井に既設のスプリンクラーヘッドと管状の第２継手との芯合わせとそれに続く接続作業が容易になる。
【００１８】
本考案に係る水道連結用スプリンクラーヘッド接続用の継手は、前記逆流防止手段を、前記第２通路と前記第１継手のいずれかの内周に設けた弁座と、スプリンクラーヘッド閉塞時の１次圧と２次圧の平衡状態でスプリングの付勢により前記弁座に着座するとともに、スプリンクラーヘッド開放時の２次圧の低下によって生じる１次圧と２次圧との差圧で前記スプリングの付勢に抗して開放されてスプリンクラーヘッドの放水を許容する弁体とを備えた逆止弁によって構成することが望ましい。
【００１９】
これによれば、部品点数が少なく、構造が簡単な逆止弁の逆流防止作用によって、停滞水が給水管に逆流するのを確実に防止することができる。
【００２０】
また、本考案に係る水道連結用スプリンクラーヘッド接続用の継手は、前記Ｔ型継手の第２通路の軸線を、横に向けて前記継手ユニットの上流側の端部に接続される。
【００２１】
このように、Ｔ型継手の第２通路の軸線が横に向くことで、該第２通路の軸線を鉛直下向きにした構造と比較して、平常時において、第１通路から第２通路に一旦流入した水は、第１通路を流れる水の影響により再度第１通路に流出し易くなる。そのため、第２通路での滞留が回避されて第２通路に停滞水が発生しなくなるので、第２通路から第１通路および給水管へ停滞水が逆流することはない。
【考案の効果】
【００２２】
本考案に係る水道連結用スプリンクラーヘッド接続用の継手によれば、Ｔ型継手と、このＴ型継手とスプリンクラーヘッドとを接続する継手ユニットとからなり、給水管とスプリンクラーヘッドとを接続する水道連結用スプリンクラーヘッド接続用の継手において、Ｔ型継手第２通路と継手ユニットの上流側の端部のいずれかに逆流防止手段を備えただけのものであるから、部品点数を削減した簡単な構造によって、停滞水が給水管に逆流するのを確実に防止することができる。
【図面の簡単な説明】
【００２３】
【図１】本考案に係る水道連結用スプリンクラーヘッド接続用の継手の一実施形態を示す平面図である。
【図２】図１のＩＩ−ＩＩ矢視図である。
【図３】図１の水道連結用スプリンクラーヘッドが設置されたスプリンクラー設備の配管系統図の一例である。
【図４】継手ユニットの一例を一部断面にして示す説明図である。
【図５】従来例の断面図である。
【考案を実施するための形態】
【実施例】
【００２４】
図１は本考案に係る水道連結用スプリンクラーヘッド接続用の継手の一実施形態を示す平面図、図２は図１のＩＩ−ＩＩ矢視図、図３は図１の水道連結用スプリンクラーヘッドが設置されたスプリンクラー設備の配管系統図の一例である。
【００２５】
図１〜図３において、水道連結用スプリンクラーヘッド接続用の継手１は、樹脂製のＴ型継手２と金属製の継手ユニット３とからなり、Ｔ型継手２における直線状の第１通路４の両端部に樹脂製の給水管５が挿入されて、シールテープおよび接着材（ともに図示せず）を使用して水密に接続されることで、給水管５の途中にＴ型継手２が設置される。そして、Ｔ型継手２における第１通路４の長手方向の中央部から直交して分岐された第２通路６は、横向き水平に指向させて継手ユニット３の上流側の端部３０がシールテープを利用してねじ込まれて水密に接続され、継手ユニット３の下流側の端部３１は、鉛直下向きに指向させて天井７に設置されている水道連結用スプリンクラーヘッド８の入口筒部８ａがシールテープを利用してねじ込まれて水密に接続される。すなわち、水道連結用スプリンクラーヘッド接続用の継手１により、給水管５とスプリンクラーヘッド８とが水密に接続される。なお、Ｔ型継手２は金属製のものであってもよい。
【００２６】
図４に示すように、金属製の継手ユニット３は、上流側の端部３０を構成するとともに、管継手として機能するステンレス鋼製のニップルからなる第１継手３２と、下流側の端部３１を構成するとともに、管継手として機能するステンレス鋼製のソケットからなる第２継手３３と、立ち下げ管として機能する薄肉ステンレス鋼管製の可撓管３４とを備えており、可撓管３４の上流側端部３４ａは、第１継手３２の下流側開口部に挿入されて、溶接またはろう付けにより水密に接続され、下流側端部３４ｂは、第２継手３３の上流側開口部に挿入されて、溶接またはろう付けにより水密に接続されている。そして、図２に示すように、可撓管３４は、第１継手３２を介してＴ型継手２の第２通路６に接続され、また、第２継手３３を介して水道連結用スプリンクラーヘッド８の入口筒部８ａに接続されることで、上流側端部３４ａと下流側端部３４ｂの間にある蛇腹状の可撓部３４ｃが下向きに撓曲されている。
【００２７】
図３に示すように、給水管５は上水道本管９から分岐されており、その端末に取付けられている各給水栓１０を開放することで、給水管５内の水道水は各給水栓１０から放水されて、飲用や炊飯、洗濯やバスタブあるいはトイレの水洗などに供給される。なお、上水道本管９から給水管５への通水・遮断は、止水栓１１の開閉によってなされる。
【００２８】
図４に示すように、継手ユニット３における上流側の端部３０を構成する第１継手３２の内部には、逆止弁からなる逆流防止手段１２が備わっている。この逆流防止手段１２は、継手ユニット３および水道連結用スプリンクラーヘッド１側から給水管５への停滞水の逆流を防止するためのもので、第１継手３２の入口付近の内周に取付けられた樹脂製環状の弁座１３と、この環状の弁座１３に接離する弁頭１４と、弁頭１４の半径方向中心部に連設されて弁座１３から離れる方向にのびる弁棒１５とを備えた樹脂製の弁体１６と、第１継手３２の入口よりも少し奥側で環状の弁座１３に対向して第１継手３２の内周に取付けられた樹脂製の弁体保持部材１７と、弁体１６の弁頭１４と弁体保持部材１７の外周環状部１７ａとの間に介在して、弁体１６を常時環状の弁座１３方向に付勢して着座させるステンレス鋼製のスプリング１８とを備え、弁棒１５は弁体保持部材１７の中心筒部１７ｂに挿入して軸方向の摺動を自在に保持されている。
【００２９】
前記スプリング１８のばね定数は、弁体１６上側の水圧（１次圧Ｐ１）と弁体１６下側の水圧（２次圧Ｐ２）との平衡状態で弁頭１４を弁座１３に着座させて閉止するとともに、水道連結用スプリンクラーヘッド８開放時の２次圧Ｐ２の低下によって生じる１次圧Ｐ１と２次圧Ｐ２との差圧（Ｐ１＞Ｐ２）で弁頭１４が弁座１３から離れて開放される値に設定されている。
【００３０】
また、図２に示す水道連結用スプリンクラーヘッド８としては、水道水の水圧および流量に適応したものが適用され、その仕様の一例として流量が３０リットル／毎分で最低使用圧力が０．０５ＭＰａ〜０．１ＭＰａのものが適用可能である。
【００３１】
前記構成の水道連結用スプリンクラーヘッド接続用の継手１の取付け施工は、まず、止水栓１１を閉じた止水状態で、Ｔ型継手２における直線状の第１通路４の両端部に給水管５を挿入して水密に接続することで、給水管５の途中に複数のＴ型継手２を設置する。複数のＴ型継手２のそれぞれでは、継手ユニット３の上流側の端部３０をＴ型継手２の第２通路６に接続したのち、該継手ユニット３の下流側の端部３１を天井７に既設の複数のスプリンクラーヘッド８それぞれの入口筒部８ａに各別に接続する手順によりなされる。
【００３２】
このように水道連結用スプリンクラーヘッド接続用の継手１を取付けた状態では、給水管５、Ｔ型継手２、継手ユニット３およびスプリンクラーヘッド８の内部は大気圧に保持される。ここで、止水栓１１を開いて給水管５に通水し、給水管５末端の給水栓１０からの放水を確認して給水栓１０を閉じる。
【００３３】
上水道本管９の水道水が給水管５に通水されることで、水道水の水圧が継手ユニット３の上流側の端部３０に備わっている逆止弁からなる逆流防止手段１２の弁体１６に１次圧Ｐ１として負荷される。１次圧Ｐ１が逆流防止手段１２の弁体１６に負荷された初期の状態では、弁体１６に負荷される２次圧Ｐ２は大気圧で前記１次圧Ｐ１よりも低いので、弁体１６は１次圧Ｐ１と２次圧Ｐ２との差圧（Ｐ１＞Ｐ２）でスプリング１８の付勢に抗して開放される。これにより、弁体１６下流側の継手ユニット３およびスプリンクラーヘッド８内の空気は水道水に置換され、置換された水道水の水圧が弁体１６に２次圧Ｐ２として負荷されることで１次圧Ｐ１と２次圧Ｐ２とが平衡し、スプリング１８の付勢により弁体１６が環状の弁座１３に着座して閉止される。この場合、弁体１６下流側の継手ユニット３およびスプリンクラーヘッド８内に停滞水が発生するものの、この停滞水の給水管５への逆流は弁体１６の閉止、つまり逆止弁からなる逆流防止手段１２の閉止によって確実に防止される。
【００３４】
平常時において、給水管５の末端に取付けられている給水栓１０を開放することで、給水管５内の水道水は給水栓１０から放水されて、飲用や炊飯、洗濯やバスタブあるいはトイレの水洗などに供給される。このような状態下でも前記１次圧Ｐ１と２次圧Ｐ２の平衡状態が保持されて前記逆流防止手段１２は閉止されているので、前記停滞水が給水管５へ逆流することはない。
【００３５】
火災発生時には、スプリンクラーヘッド８から、まず前記停滞水が自動的に放水される。これにより、２次圧Ｐ２が低下するので、弁体１６は１次圧Ｐ１と２次圧Ｐ２との差圧（Ｐ１＞Ｐ２）でスプリング１８の付勢に抗して開放されてスプリンクラーヘッド８の放水を許容する。これにより、火災の抑制・消火を行い、初期消火に優れた効果を発揮することができる。
【００３６】
Ｔ型継手の第２通路６は横向き水平に指向していること、つまり、図２に示す第２通路６の軸線Ｃが横向き水平に指向していることで、該第２通路６の軸線Ｃを鉛直下向きにした構造と比較して、平常時において、第１通路４から第２通路６に一旦流入した水は、第１通路４を流れる水の影響により再度第１通路４に流出し易くなる。そのため、第２通路６での滞留が回避されて第２通路６に停滞水が発生しなくなるので、第２通路６から第１通路４および給水管５へ停滞水が逆流することはない。
【００３７】
なお、第２通路６の軸線Ｃは、前記横向き水平である状態を基準にして仰角１０度・俯角５度の範囲に設定することが好ましい。仰角が１０度を超えるとスプリンクラーヘッド８放水時の流水抵抗が大きくなり、俯角が５度を超えると第１通路４から第２通路６に一旦流入した水は再度第１通路４に流出し難くなるので第２通路６に停滞水が発生することになる。
【００３８】
以上のように、本考案に係る水道連結用スプリンクラーヘッド接続用の継手１は、Ｔ型継手２と、このＴ型継手２とスプリンクラーヘッド８とを接続する継手ユニット３とからなり、給水管５とスプリンクラーヘッド８とを接続するとともに、停滞水が給水管５へ逆流するのを確実に防止することができるものでありながら、Ｔ型継手２の第２通路６と継手ユニット３の上流側の端部３０のいずれかに逆止弁からなる逆流防止手段１２を備えただけのものであるから、部品点数の削減と構造の簡略化を実現できる。
【００３９】
また、前記継手ユニット３は、Ｔ型継手２の第２通路６に接続される管継手として機能するステンレス鋼製のニップルからなる第１継手３２と、スプリンクラーヘッド８の入口筒部８ａが接続される管継手として機能するステンレス鋼製のソケットからなる第２継手３３と、第１継手３２に上流側端部３４ａが接続され、第２継手３３に下流側端部３４ｂが接続されるとともに、上流側端部３４ａと下流側端部３４ｂの間に蛇腹状の可撓部３４ｃを有する可撓管３４とを備えているので、可撓管３４における可撓部３４ｃの撓み作用によって第２継手３３に大きい変位自由度が確保される。これにより、通常は、Ｔ型継手２の第２通路６に第１継手３２を接続した後になされる天井７に既設のスプリンクラーヘッド８の入口筒部８ａと第２継手３３との芯合わせとそれに続く接続作業が容易になる。つまり、曲げ癖があるために真直度が損なわれている上に、硬度が高いので真直復元が困難な耐熱性に富むポリブデン樹脂製または架橋ポリエチレン樹脂製のパイプからなる従来既知の変位自由度の小さい継手ユニットを使用した構成と比較して、前記芯合わせとそれに続く接続作業がきわめて容易になる。
【００４０】
さらに、逆流防止手段１２を、第１継手３２の内周に設けた環状の弁座１３と、スプリンクラーヘッド８閉塞時の１次圧Ｐ１と２次圧Ｐ２の平衡状態でスプリング１８の付勢により環状の弁座１３に着座するとともに、スプリンクラーヘッド８開放時における２次圧Ｐ２の低下によって生じる１次圧Ｐ１と２次圧Ｐ２との差圧（Ｐ１＞Ｐ２）でスプリング１８の付勢に抗して開放されてスプリンクラーヘッド８の放水を許容する弁体１６とを備えた逆止弁によって構成しているので、部品点数が少なく、構造が簡単な逆止弁の逆流防止作用によって、停滞水が給水管に逆流するのを確実に防止することができる。
【００４１】
なお、前記実施形態では、逆止弁からなる逆流防止手段１２を継手ユニット３における第１継手３２の内周に設けた構成で説明しているが、第１継手３２の内周に代えてＴ型継手２の第２通路６の内周に、前記実施形態で説明した逆止弁と同じ構造の逆止弁からなる逆流防止手段１２を設けた構成であっても、前記実施形態と同様の作用・効果を奏することができる。
【００４２】
また、逆流防止手段１２を内周に設けた構成のニップルからなる第１継手３２に代えて、逆流防止手段１２を有していない通常のニップルを可撓管３４の上流側端部３４ａに水密に接続するとともに、逆流防止手段１２を内周に設けた構成で大径のニップルを別途用意し、この大径のニップルの後端部雌ねじを前記通常のニップルの先端部雄ねじに水密に接続した構成の継手ユニット３であってもよい。
【産業上の利用可能性】
【００４３】
上水道本管から分岐されている一般住宅の給水管を利用した水道連結用スプリンクラー設備において、前記給水管とスプリンクラーヘッドとを接続する継手およびスプリンクラーヘッド内の停滞水が給水管に逆流するのを防止するための水道連結用スプリンクラーヘッド接続用の継手である。
【符号の説明】
【００４４】
１  水道連結用スプリンクラーヘッド接続用の継手
２  Ｔ型継手
３  継手ユニット
４  Ｔ型継手の第１通路
５  給水管
６  Ｔ型継手の第２通路
８  スプリンクラーヘッド
８ａ  スプリンクラーヘッドの入口
９  上水道本管
１０  給水栓
１２  逆止弁（逆流防止手段）
１３  弁座
１６  弁体
１８  スプリング（付勢部材）
３０  継手ユニットの上流側の端部
３１  継手ユニットの下流側の端部
３２  第１継手
３３  第２継手
３４  可撓管
Ｐ１  １次圧
Ｐ２  ２次圧
【図１】
0003156763.tif 000003
【図２】
0003156763.tif 000004
【図３】
0003156763.tif 000005
【図４】
0003156763.tif 000006
【図５】
0003156763.tif 000007